(57)【要約】【課題】  フィルム給送ローラの清掃をユーザが簡単にできるフィルムスキャナに係る画像読取装置を提供する。【解決手段】  イジェクトボタンを押したときの上カバーの状態によりモードを切り替える。上カバーが閉じているときにイジェクトボタンを押すと排出モードになり、フィルムの排出を行ない、また、上カバーが開いているときにイジェクトボタンを押すとローラ清掃モードになり、フィルム給送ローラを回転させてユーザがローラの清掃を容易に行なえるようにする。【選択図】        図１
2006227070.tif 000002
【特許請求の範囲】
【請求項１】
フィルムの画像を読み取る画像読取装置において、
前記フィルムを給送するための給送手段と、
前記画像読取装置の内部にあるフィルムの排出を要求する排出要求手段と、
前記画像読取装置に開閉自在に設けられ、通常は閉じた状態で前記フィルムの給送を行ない、開いた状態で前記フィルムの給送部が清掃可能となるカバー手段とを備え、
前記カバー手段が閉じた状態のときに前記排出要求手段によりフィルムの排出要求があった場合には前記給送手段によりフィルムを所定速度で給送して排出を行ない、開いた状態のときに前記排出要求手段によりフィルムの排出要求があった場合には前記フィルムの給送部の清掃補助要求とみなして給送手段を所定時間動作させることを特徴とする画像読取装置。
【発明の詳細な説明】
【技術分野】
【０００１】
本発明は、光源を用いてフィルムに照射した透過光または反射光を撮像素子で撮像してフィルムの画像を読み取る画像読取装置に関する。
【背景技術】
【０００２】
従来、フィルムなどの透過原稿の画像を読み取る画像読取装置では、フィルムと撮像素子を相対移動させながら、フィルムに光源を照射して得られる透過光を撮像素子で撮像することにより画像を読み取る構成となっている。
【０００３】
このような画像読取装置では、装置の構成として次の２種類がある。１つは装置内部に固定された撮像素子とフィルムの搬送機構を設け、フィルムを長手方向に搬送させながら撮像素子で画像を撮像して読み取る方式であり、もう１つは装置内部にフィルムを装着して固定させ、撮像素子をフィルムの長手方向に移動させながら画像を撮像して読み取る方式である。
【０００４】
これら２つの方式を比較すると、前者の方式の方が一度に読み取れるコマ数を多くできるメリットがあるため、現在では一般的な方式となっている。この方式の構造としては、フィルムを搬送するフィルム搬送部と、光源によりフィルムに光を照射し、フィルムを透過した光を撮像する撮像素子からなる光学系を持ち、光学系がフィルム面と直交するような配置とする構造になる。フィルム搬送部は、フィルムを複数のローラ部材で挟み込み、ローラ部材をモータ及びギアなどの駆動源を用いてフィルムの長手方向に搬送する構造になる。
【０００５】
このような構造の画像読取装置では、フィルムを外部から装置内に取り込んで画像を読み取る構造上、装置内にゴミやほこりなどが入り込みやすいという問題がある。ゴミやほこりは装置のフィルム挿入口から単独で入り込む場合と、フィルムに付着して入り込む場合があるが、いずれにしてもゴミやほこりなどが装置内に入り込んで光学系の光路上に存在すると、撮像素子で撮像して画像上に写り込むため、画像の品質が低下してしまうおそれがある。
【０００６】
特に、装置内に入り込んだゴミやほこりはフィルム搬送部のローラ部材に付着する可能性が高く、フィルムの搬送の過程でローラ部材に付着したり、ローラ部材に付着していたゴミやほこりがフィルムに付着したりするため、フィルム搬送部、特にローラ部材は定期的に清掃してきれいな状態に維持する必要がある。また、装置の構造としてもフィルム搬送部を容易に清掃可能な構造とすることが求められる。
【０００７】
従来の画像読取装置では、クリーニングモードに入ると前側ガイド板及び後ろ側ガイド板が開き、クリーナ搬送コロ等により構成される周回搬送路に内蔵したペーパー状のクリーニング部材が原稿搬送経路上に排出され、該クリーニング部材は原稿と同様に搬送されてコンタクトガラス上を通り、該コンタクトガラスの表面を清掃した後、搬送ローラによって排出され、開いている後ろ側ガイド板を介して周回搬送路に戻され、クリーナ搬送コロによって所定の位置まで運ばれる構成のものがある（例えば、特許文献１参照）。
【特許文献１】特開平１１−２４１８４号公報
【発明の開示】
【発明が解決しようとする課題】
【０００８】
しかしながら、上述した画像読取装置では、原稿とは別にクリーニング部材専用の搬送系と駆動系が必要になるため、装置が大掛かりになり、構造が複雑になってしまうという問題がある。
【０００９】
本発明は、以上のような局面に鑑みてなされたもので、下記の課題を解決するための各手段の提供を目的としている。すなわち、その目的は、フィルム搬送部の清掃のために特別な構造にすることなく、フィルムの搬送部の清掃を簡単にでき、使い勝手がよく品質の良い画像を読み取ることができる画像読取装置を提供することにある。
【課題を解決するための手段】
【００１０】
このため、本発明は、上記の目的に対して下記の示す構成の画像読取装置の提供によりそれぞれ前記の目的を達成しようとするものである。
【００１１】
フィルムの画像を読み取る画像読取装置において、前記フィルムを給送するための給送手段と、前記画像読取装置の内部にあるフィルムの排出を要求する排出要求手段と、前記画像読取装置に開閉自在に設けられ、通常は閉じた状態で前記フィルムの給送を行ない、開いた状態で前記フィルムの給送部が清掃可能となるカバー手段とを備え、前記カバー手段が閉じた状態のときに前記排出要求手段によりフィルムの排出要求があった場合には前記給送手段によりフィルムを所定速度で給送して排出を行ない、開いた状態のときに前記排出要求手段によりフィルムの排出要求があった場合には前記フィルムの給送部の清掃補助要求とみなして給送手段を所定時間動作させることを特徴とする画像読取装置。
【発明の効果】
【００１２】
本発明によれば、イジェクトボタンを押されたときの上カバーの開閉状態により処理を切り替え、上カバーが閉じている場合は装置内に残っているフィルムの排出動作を行ない、上カバーが開いている場合は給送ローラを回転させてユーザが清掃を行なえるようにしたので、清掃のための特別な構造にする必要がなく、使い勝手の良い、高画質な画像を読み取ることのできる画像読取装置を提供することができるという効果がある。
【発明を実施するための最良の形態】
【００１３】
以下に、本発明の実施の形態について図面を参照して詳細に説明する。
【実施例】
【００１４】
図１は、本発明実施例の画像読取装置の構成を示す斜視図である。
【００１５】
同図において、１は画像読取装置であり、３５ｍｍ及びＡＰＳの各フィルムの画像を読み取ることができる。２は３５ｍｍ挿入口で、３５ｍｍフィルムを挿入する。３５ｍｍフィルムはそのまま挿入でき、数コマ程度の短いフィルムから４０コマ程度の長尺フィルムまで様々な長さのフィルムが挿入できる。３はＡＰＳ挿入口で、ＡＰＳカートリッジまたはＡＰＳフィルムを挿入する。４はイジェクトボタンで、挿入されたフィルムを排出するためのボタンである。
【００１６】
１９は３５ｍｍユニットの上カバー、２０はＡＰＳユニットの上カバーで、同図では上カバーが閉じた状態を示している。フィルムの画像を読み取る場合は上カバーが閉じた状態で使用する。一方、何らかの要因により装置内にフィルムが詰まった場合は、上カバーを開いた状態にしてフィルムを取り除く。また、フィルム給送部の清掃を行なう場合にも、上カバーを開いた状態にして清掃を行なう。図２は、３５ｍｍユニットの上カバー１９が開いた状態を示している。同図において、５はフィルムを給送するためのローラ、１８はフィルムの画像を撮像素子に導くためのスリットである。
【００１７】
図３は、３５ｍｍフィルムの給送及び画像の読み取りに関するブロック図である。同図において、５はローラ、６は給送モータ、７はフィルム室、８はフィルム先端センサ、９はフィルム挿入センサ、１０はフィルム、１１はインバータ、１２はランプ、１３は撮像光学系、１４はＣＣＤ、１５は信号処理回路、１６はマイコン、１７はメモリ、１８はスリット、１９は上カバー、２１は上カバー検知スイッチである。なお、同図では上カバー１９が閉じていて、３５ｍｍフィルムが中に残されている場合を示している。
【００１８】
図４は上カバー１９が開いている場合を示している。上カバーが開いているか閉じているかは上カバー検知スイッチ２１により検知し、上カバーが閉じている場合は２１ａと２１ｂが接続状態、開いている場合は２１ａと２１ｂが開放状態となる。なお、上カバー検知スイッチ２１はフィルムの給送を妨げない位置に配置されている。
【００１９】
次に、図３、図４のブロック図における動作について説明する。
【００２０】
フィルム１０の給送制御、画像読み取りなどの全ての制御はマイコン１６が司る。給送制御に関しては、給送モータ６を駆動してローラ５を回転させることにより行なう。フィルム１０が挿入されたことをフィルム挿入センサ９で検出すると、給送モータ６を正転方向に駆動してローラ５を回転させる。ローラ５にフィルム１０が挟まれるとさらに引き込まれて給送され、フィルム室７に渦を巻くように収められていく。フィルム１０がローラ５に噛んだ状態では、フィルムの走行速度を一定に保つため、ローラ５の回転速度が一定になるように給送モータ６を制御する。引き込まれたフィルムを排出する場合は、給送モータ６を逆転方向に駆動してローラ５を回転させ、フィルムの先端部分だけが画像読取装置の内部に残るようになるまでフィルムを排出する。排出時の動作の詳細については後述する。
【００２１】
画像読み取りの制御に関しては、ランプ１２によりフィルム１０に照射された透過光を撮像光学系１３を介してＣＣＤ１４で撮像し、信号処理回路１５で信号処理を行なったのちメモリ１７に蓄えられる。メモリ１７に蓄えられた画像データは、不図示のパーソナルコンピュータやプリンタなどに転送されて利用される。ランプ１２の光量は、インバータ１１により最適な光量に調節される。
【００２２】
図５は、本発明実施例の動作を示すフローチャートである。図５のフローチャートは、図３、４のメモリ１７に内蔵され、マイコン１６で処理されるプログラムフローを示すプログラム図であり、マイコン１６は該プログラムフローに従って制御動作を実行する。
【００２３】
同図のフローでは、イジェクトボタン４が押された場合の処理を示している。
【００２４】
以下に、フローの各ステップに沿って説明する。
【００２５】
ステップ１０１（図ではＳ１０１と記す、以下同様）：イジェクトボタン４が押されるまで待つ。
【００２６】
ステップ１０２：上カバー１９が開いているかどうかを検知する。上カバー検知スイッチ２１の２１ａと２１ｂが接続状態の場合（図３）は上カバー１９が閉じていると判断し、ステップ１０３に進む。上カバー検知スイッチ２１の２１ａと２１ｂが開放状態の場合（図４）は上カバー１９が開いていると判断し、ステップ１０８に進む。
【００２７】
ステップ１０３：フィルムが装置内に残っているかどうかを判別する。フィルム先端センサ８でフィルムがあることを検知した場合はフィルムが残っていると判断し、ステップ１０４に進み、そうでない場合はフィルムが残っていないと判断して処理を終了する。図３ではフィルム１０が装置内に残っている場合を示しており、ステップ１０４に進むことになる。
【００２８】
ステップ１０４：給送モータ６を逆転方向に駆動開始する。これにより、フィルム１０が排出方向に給送を開始することになる。
【００２９】
ステップ１０５：フィルム１０の大部分が装置の外に排出されるまで待つ。これは、フィルム先端センサ８でフィルム１０を検知しなくなるまで待つことにより行なう。
【００３０】
ステップ１０６：フィルム１０の大部分が装置の外に排出されたので、完全に排出されるまでさらにフィルム１０を給送するために一定時間待つ。
【００３１】
ステップ１０７：フィルム１０が完全に装置の外に排出されたので、給送モータ６を停止し、処理を終了する。図６にフィルム１０が排出された状態を示す。
【００３２】
ステップ１０８：給送モータ６を正転方向に駆動開始する。これにより、ローラ５も正転方向に回転を開始する。
【００３３】
ステップ１０９：ローラ５を一定時間回転させる。この間にユーザはローラ５にクリーニング部材（布やクリーニングペーパーなど）を押し当てることにより、ローラ５の清掃を行なうことができる。
【００３４】
ステップ１１０：給送モータ６を停止し、処理を終了する。
【００３５】
上記の動作フローでは、イジェクトボタン４が押されたときの上カバー１９の開閉状態により、動作を切り替えている。上カバー１９が閉じている場合はステップ１０３からステップ１０７でフィルム１０が装置内に残されている場合は排出動作を行なう。上カバー１９が開いている場合はステップ１０８からステップ１１０でローラ５を一定時間回転させてユーザがローラ５の清掃を行なえるようにしている。
【００３６】
このようにすることにより、装置の清掃のための特別な部材を設けることなく、ユーザが容易に清掃を行なうことができるため、簡単に高画質な画像を読み取ることができる。
【００３７】
なお、上記の実施例では、３５ｍｍフィルムの動作に関する説明を行なったが、ＡＰＳフィルムに関しても同様に適用できることは言うまでもない。
【図面の簡単な説明】
【００３８】
【図１】実施例の画像読取装置の構成説明斜視図
【図２】実施例の画像読取装置の構成説明斜視図
【図３】実施例のフィルムの給送及び画像の読み取りに関するブロック図
【図４】実施例のフィルムの給送及び画像の読み取りに関するブロック図
【図５】実施例の動作を示すフローチャート
【図６】実施例のフィルムの給送及び画像の読み取りに関するブロック図
【符号の説明】
【００３９】
１    画像読取装置
２    ３５ｍｍ挿入口
３    ＡＰＳ挿入口
４    イジェクトボタン
５    ローラ
６    給送モータ
７    フィルム室
８    フィルム先端センサ
９    フィルム挿入センサ
１０  フィルム
１１  インバータ
１２  ランプ
１３  撮像光学系
１４  ＣＣＤ
１５  信号処理回路
１６  マイコン
１７  メモリ
１８  スリット
１９  ３５ｍｍ上カバー
２０  ＡＰＳ上カバー
２１  上カバー検知スイッチ
【図１】
2006227070.tif 000003
【図２】
2006227070.tif 000004
【図３】
2006227070.tif 000005
【図４】
2006227070.tif 000006
【図５】
2006227070.tif 000007
【図６】
2006227070.tif 000008